(57)【特許請求の範囲】
【請求項１】
遊技機に設けられる回路基板を収納する基板収納ボックスにおいて、
該基板収納ボックスは、取付用部材に対して一方向からスライド移動することにより遊技機に関連する所定箇所に取り付けられるように前記取付用部材に形成される施錠用係合部材を受け入れる逃げ開口が形成されると共に、前記スライド移動方向と逆方向のスライド移動ができないように当該基板収納ボックスの内部で前記施錠用係合部材と係合する係合鍵部材を有する施錠装置を設けて構成され、
前記施錠装置を鍵の変更を自在に行い得る可変式錠装置としたことを特徴とする遊技機の基板収納ボックス。
【発明の詳細な説明】
【０００１】
【発明の属する技術分野】
本発明は、遊技機、例えば、パチンコ遊技機やスロットマシンに設けられる回路基板を収納する基板収納ボックスに関するものである。
【０００２】
【従来の技術】
従来、パチンコ遊技機やスロットマシンには、多くの回路基板が設けられている。特に、遊技動作を制御する遊技制御回路基板には、マイクロコンピュータを構成するＭＰＵ、ＲＯＭ、ＲＡＭ等の電子素子が多数実装されている。そして、遊技動作を制御するプログラムが格納されるＲＯＭを交換することにより、多くの場合、異なる遊技内容を実現することが可能である。しかし、このようなＲＯＭ交換は、当初の認められた遊技内容と異なるため、許可されておらず、これを防止するために、回路基板を収納する基板収納ボックスに封印紙を貼付したり、あるいは、所定の部位を破壊しない限り被覆状態が解除できない構造の技術が提案されている。
【０００３】
【発明が解決しようとする課題】
しかしながら、封印紙を貼付して不正行為を防止する基板収納ボックスにあっては、既存の糊剥し液等を使用して封印紙を破損しないように剥して被覆状態を解除して不正行為を行い、また、所定の部位を破壊しない限り被覆状態が解除できない構造の基板収納ボックスにおいては、その所定の部位を巧妙に切断して被覆状態を解除して不正行為を行い、その後、切断した所定の部位を接着剤等で接着して見た目には分からないように修復される可能性があるという欠点が考えられる。本発明は、上記した事情に鑑みなされたもので、その目的とするところは、内部に収納される回路基板に対して不正な処理を施すことができない遊技機の基板収納ボックスを提供することにある。
【０００４】
【課題を解決するための手段】
【０００５】
上記した目的を達成するために、本発明が採用した手段を図面を参照して説明する。図１、図２及び図４に示すように、遊技機に設けられる回路基板１２０を収納する基板収納ボックス６０において、該基板収納ボックス６０は、取付用部材１３０に対して一方向からスライド移動することにより遊技機の機構板４１に取り付けられるように前記取付用部材１３０に形成される施錠用係合部材１３４を受け入れる逃げ開口６９が形成されると共に、前記スライド移動方向と逆方向のスライド移動ができないように当該基板収納ボックス６０の内部で前記施錠用係合部材１３４と係合する係合鍵部材９５を有するボックス着脱用施錠装置９３を設けて構成され、しかも、そのボックス着脱用施錠装置９３を図５乃至図７に示すように、カバー体８０を開放した状態でカバー体８０の裏面から施錠装置９３のピン係合穴１０８に向かって操作ピン１１４を差し込んでロック摺動ピン１０２を押し込み、その状態で施錠装置９３の錠主体９６を反時計回転方向に回動することにより、錠主体９６が錠取付基体９８から分離できて異なる鍵を使用する錠主体９６に交換し得る可変式錠装置として構成したものである。このように構成することにより、着脱キー９４がなければ、基板収納ボックス６０の遊技機の機構板４１への取付状態を解除することができないので、回路基板１２０を含む基板収納ボックス６０全体を交換するという不正行為を確実に防止することができると共に、着脱キー９４の交換の必要性が生じたときに、迅速に対応することができる。
【０００６】
【発明の実施の形態】
以下、図面を参照して、本発明の実施形態について説明する。まず、図１５及び図１６を参照して、実施形態に係る遊技機の一例としてのパチンコ遊技機１の構成について説明する。図１５は、パチンコ遊技機１の正面図であり、図１６は、パチンコ遊技機１の背面図である。図１５において、パチンコ遊技機１の額縁状に形成された前面枠２の開口には、扉保持枠３が周設され、該扉保持枠３にガラス扉枠４と前面扉板５とが一側（左側）を軸として開閉自在に設けられている。ガラス扉枠４の後方には、遊技盤１１が配置され、前面扉板５の前面には、打球供給皿６が取り付けられている。この打球供給皿６は、払い出された景品玉を貯留し且つ打玉として発射位置に１個ずつ供給するものであり、その上流側の内部空間に遊技に関連する効果音を発生するスピーカ７が内蔵されている。また、前記前面枠２の下方には、打玉を発射する際に操作する操作ハンドル９と、前記打球供給皿６に貯留し切れない余剰の景品玉を貯留する余剰玉受皿８とが設けられている。また、前面枠２には、その上部前面に特定遊技状態となったことを報知する遊技効果ランプ装置１０が設けられている。
【０００７】
ところで、前記遊技盤１１の表面には、発射された打玉を誘導するための誘導レール１２がほぼ円状に植立され、該誘導レール１２で区画された領域が遊技領域１３を構成している。遊技領域１３のほぼ中央上部には、複数（３つ）の回転ドラム１５ａ〜１５ｃを有する可変表示装置１４が配置されている。この可変表示装置１４の回転ドラム１５ａ〜１５ｃは、独立したドラムモータ（図示しない）によって回転駆動され、その図柄停止位置を検出するためにドラムセンサ（図示しない）が内蔵され、更に表示される図柄を照射装飾するためのドラムランプ（図示しない）を内蔵している。
【０００８】
また、可変表示装置１４には、その上部に飾りＬＥＤ２０が設けられ、該飾りＬＥＤ２０の下部に始動記憶ＬＥＤ２１が設けられている。飾りＬＥＤ２０は、０〜９までの符号のついた１０個のＬＥＤから構成され、後述する特定遊技状態となったときに所定のランダム数から抽出される値に対応するＬＥＤが点灯するようになっている。そして、飾りＬＥＤ２０は、特定遊技状態の発生に関連していずれか１つがランダムに点灯表示されるもので、遊技内容には直接関係しないが、遊技場が所定のサービス（例えば、特定遊技状態で獲得した多量の景品玉を使用して継続して遊技を行うことを許可するサービス）を提供する場合に使用できる。例えば、「７」の飾りＬＥＤ２０で点灯停止したときに所定のサービスを提供するようにすれば良い。また、始動記憶ＬＥＤ２１は、後述する始動入賞口２３に入賞した打玉のうち記憶したものを表示するものである。更に、可変表示装置１４の両サイドには、回転ドラム１５ａ〜１５ｃの縦横３つの図柄によって構成される５本の当りラインを表示するライン表示ＬＥＤ２２が設けられている。本実施形態における当りラインは、図示するように、上段水平の当りライン１と、右下がり対角線の当りライン２と、中段水平の当りライン３と、右上り対角線の当りライン４と、下段水平の当りライン５と、があり、いずれかの当りライン上に所定の図柄（大当り図柄という場合がある）が並んだときに大当りとなって特定遊技状態を生起せしめる。
【０００９】
上記のように構成される可変表示装置１４の下方には、前記回転ドラム１５ａ〜１５ｃの回転を許容する始動入賞口２３が設けられている。この始動入賞口２３に入賞した入賞玉は、遊技盤１１の裏面に導かれて始動口スイッチ２４によって検出される。なお、始動入賞口２３への入賞に基づく可変表示装置１４の回転は、所定回数（例えば、４回）記憶され、その旨が可変表示装置１４に設けられる始動記憶ＬＥＤ２１によって表示されるようになっている。
【００１０】
前記可変表示装置１４の下方に入賞領域２６を有する可変入賞球装置２５が設けられている。可変入賞球装置２５の入賞領域２６には、下端両サイドを軸支して、遊技盤１１面に対して垂直方向に開閉自在とされる開閉板２７によって塞がれている。この開閉板２７は、開閉板用ソレノイド２８によって開閉制御され、開成中には、遊技盤１１の表面を落下する打玉を受止めて入賞領域２６に導き入賞玉とする。また、入賞領域２６の内部は、３つに区画され、その中央に特定領域２９が形成され、その左右に通常領域が形成されている。特定領域２９には、特定領域スイッチ３０が設けられ、また、通常入賞領域にも１０カウントスイッチ３１ａ，３１ｂが設けられている。
【００１１】
なお、入賞領域２６の後面壁には、その中央に打玉が特定領域２９に入賞して特定領域スイッチ３０をＯＮしたときに、継続権が成立した旨を報知するＶ表示ＬＥＤ３２が設けられ、その一側に特定遊技状態における開閉板２７の開放回数を表示する開成回数表示器３３が設けられている。また、入賞領域２６の下方には、特定領域スイッチ３０及び１０カウントスイッチ３１ａ，３１ｂで検出された打玉数を表示する個数表示ＬＥＤ３４が設けられている。更に、可変入賞球装置２５の取付基板７の左右部には、通常の入賞口（符号なし）が一体的に形成され、入賞口の外側にアタッカーランプ３５が設けられている。
【００１２】
しかして、上記のように構成される可変入賞球装置２５は、以下のように作動する。即ち、打玉がいずれかの始動入賞口２３に入賞して始動口スイッチ２４をＯＮさせると、可変表示装置１４の回転ドラム１５ａ〜１５ｃが回転を開始し、一定時間（例えば、５秒）が経過すると、左側の回転ドラム１５ａから順次停止され、すべての回転ドラム１５ａ〜１５ｃの停止時の図柄の組み合せが大当り図柄の組合せとなったときに特定遊技状態となる。そして、この特定遊技状態においては、可変入賞球装置２５の開閉板２７が所定期間（例えば、２０秒経過するまで、あるいは１０個の入賞玉が発生するまで）開放するように設定され、その開放している間遊技盤１１の表面を落下する打玉を受止めるようになっている。そして、入賞領域２６内に設けられた特定領域２９に入賞すると、再度上記した開放状態を繰り返し、特定領域２９に入賞玉が入賞する毎に継続権が成立して開放状態を最高１６回繰り返すことができるようになっている。
【００１３】
更に、遊技盤１１の表面には、前記可変表示装置１４の上部左右側方に風車ランプ３７が設けられ、下部側方に入賞口（符号なし）が設けられている。また、前記風車ランプ３７は、前記特定遊技状態時や始動入賞時等に点灯又は点滅してその旨を報知するものであり、同様な機能を有するものとして、遊技領域１３の左右にサイドランプ３６が設けられている。また、遊技盤１１の表面の最下方には、上記したいずれの入賞領域にも入賞しなかった打玉が遊技盤１１の後方に導かれるアウト口（図示しない）が設けられている。また、誘導レール１２の外周に沿ってレール飾りランプ３８が設けられている。
【００１４】
一方、パチンコ遊技機１の裏面構成においては、図１６に示すように、機構板４１が開閉自在に設けられている。この機構板４１の中央には、窓開口４２が開設され、該窓開口４２に対応する遊技盤１１の裏面には、入賞玉集合カバー体３９が設けられている。入賞玉集合カバー体３９には、前記可変表示装置１４の後面突出部が貫通しており、その後面突出部の裏面に可変表示装置１４の表示動作を制御するドラム表示制御回路基板を収納するドラム表示制御回路基板ボックス１９が設けられている。このドラム表示制御回路基板ボックス１９に収納される回路基板には、前記ドラムモータ、ドラムランプ、ドラムセンサ等からの配線がコネクタを介して接続される一方、後述する遊技制御回路基板１２０及び中継基板ボックス４０に収納される中継基板と接続される配線もコネクタ１９ｂを介して接続されるようになっている。
【００１５】
また、入賞玉集合カバー体３９の裏面には、可変表示装置１４の一部の電気機器及び遊技盤１１に設けられる電気機器（例えば、始動口スイッチ２４、ソレノイド２８、特定領域スイッチ３０、１０カウントスイッチ３１ａ，３１ｂ、各種の表示器及びランプ等）からの配線がコネクタ４０ｂを介して接続されると共に、遊技制御回路基板１２０からの配線もコネクタ４０ｂを介して接続される中継基板を収納する中継基板ボックス４０も設けられている。
【００１６】
ところで、機構板４１には、周知のように発生した入賞玉に基づいて所定個数の景品玉を払い出すための景品玉タンク４３、景品玉払出装置（詳細に図示しないが景品玉払出装置ボックス４４内にセット化されて組み込まれている）、入賞玉処理装置（図示しない）等の各種の機構が設けられるものであるが、更に、前記した遊技盤１１に設けられる可変表示装置１４や可変入賞球装置２５等の遊技装置の遊技動作を制御する遊技制御回路基板１２０を収納する基板収納ボックス６０、景品玉払出装置の動作を制御する景品玉払出制御基板を収納する景品玉払出制御基板ボックス４５、パチンコ遊技機１に隣接して設置されるカードユニット４７とパチンコ遊技機１の各装置との配線を中継するユニット中継基板が収納される中継基板ボックス４６、遊技制御回路基板１２０に電源を供給するターミナル基板を収納するターミナル基板ボックス５１も機構板４１の裏面に取り付けられている。なお、機構板４１ではないが、パチンコ遊技機１の裏面には、遊技制御回路基板１２０からの指令又はデータに基づいてパチンコ遊技機１の前面に設けられる電気的装飾部品（ランプ等）の動作を制御する装飾制御基板を収納する装飾制御基板ボックス４８、打球の発射動作を制御する発射制御基板４９を含む打球発射装置５０が取り付けられている。
【００１７】
上記した基板収納ボックス６０を除く各基板ボックス１９，４０，４４，４５，４６，４８，５１には、ボックスのカバーを開閉するための開閉用施錠装置１９ａ，４０ａ，４４ａ，４５ａ，４６ａ，４８ａ，５１ａが設けられており、所定の解除キー（図示しない）を差し込んで回動しなければ、収納される各基板の被覆状態を解除することができないようになっている。このように構成することにより、各基板への不正な目的を持った端子の接続や電子部品の交換等の不正行為を確実に防止することができる。もちろん、これらの開閉用施錠装置１９ａ，４０ａ，４４ａ，４５ａ，４６ａ，４８ａ，５１ａを可変式錠装置として構成しても良い。なお、図示においては、各基板及び装置には、所定の配線を接続するためのコネクタ１９ｂ，４０ｂ，４４ｂ，４５ｂ，４６ｂ，４７ｂ，４８ｂ，５１ｂが設けられており、特に、ターミナル基板ボックス５１に収納されるターミナル基板は、遊技制御回路基板１２０に電源を供給するだけでなく、パチンコ遊技機１に設けられる各種電気的装置、例えば、上記した各基板及び打球発射装置５０にも電源を供給すると共に、パチンコ遊技機１の内部での信号線の中継、あるいはパチンコ遊技機１と外部との信号線の中継を行うための端子も設けられている。また、各基板ボックス１９，４０，４４，４５，４６，４８，５１には、次に説明するボックス着脱用施錠装置９３と同様の施錠装置を設けて各基板ボックス１９，４０，４４，４５，４６，４８，５１と機構板４１又はパチンコ遊技機１との脱着が行えるようにしても良い。
【００１８】
次に、本実施形態の要部を構成する基板収納ボックス６０の構成について図１乃至図７を参照して説明する。図１は、第１実施形態に係る基板収納ボックス６０の平面図であり、図２は、図１のＡ−Ａ線に沿って切断した断面図であり、図３は、図１のＢ−Ｂ線に沿って切断した断面図であり、図４は、基板収納ボックス６０の分解斜視図であり、図５は、基板収納ボックス６０に設けられる施錠装置９０，９３の分解斜視図であり、図６及び図７は、その施錠装置９０，９３の作用を示す一部破断断面図である。
【００１９】
しかして、基板収納ボックス６０は、図４に示すように、遊技制御回路基板１２０を収納支持する箱体６１と、該箱体６１の上面を閉塞するカバー体８０とが組付構成され、そのように組付構成された基板収納ボックス６０は、前記機構板４１の裏面に突設される取付ボス５２にビス５３で止着される取付用部材としての取付台１３０に着脱自在に取り付け得るようになっている。以下、基板収納ボックス６０の各組付構成部品毎に説明する。
【００２０】
まず、箱体６１は、上面が開放した直方体状に合成樹脂（金属でも良い）で形成され、その側壁のほぼ全域に内部で発生する熱を放熱するための放熱孔６２が多数穿設されている。また、箱体６１の底面には、比較的大きな長方形状の開口６３が開設され、該開口６３の長手方向開口縁には、取付台１３０の後述する係合レール１３１に係合するＬ字状の係合片６４が垂下形成されている。なお、箱体６１の底面は、図２に示すように、側壁の下端よりもやや上方の位置に底上げ状態で形成されているため、垂下形成される上記係合片６４は、箱体６１の側壁と同一平面状に位置することとなる。
【００２１】
更に、箱体６１の底面には、その前方部中央に側壁に亘って切り欠けられた逃げ開口６９が形成され、該逃げ開口６９の斜め前方に施錠用係止突起６８が突設され、その一側長辺部左右に支持位置決め突起６５が突設され、その他側長辺部左右に止め突起６６が突設されている。逃げ開口６９は、基板収納ボックス６０を取付台１３０に装着する際に取付台１３０に形成される施錠用係合部材１３４を基板収納ボックス６０内に受け入れるためのものである。また、施錠用係止突起６８は、カバー体８０を被覆したときにカバー体８０に設けられるカバー開閉用施錠装置９０の係合鍵部材９２と係合するものである。また、支持位置決め突起６５は、遊技制御回路基板１２０の一側長辺部両端をカバー体８０に設けられる後述する押え部材８８と挟持して支持するものであり、止め突起６６は、遊技制御回路基板１２０の他側長辺部両端をビス１２９で止着支持するものである。なお、支持位置決め突起６５及び止め突起６６については、後に詳述する。
【００２２】
また、箱体６１の後方部（図１の下側）側壁内側の２カ所には、カバー体８０の一側を回転自在に軸支する蝶番機構の一方の部材である軸受部材７０が固着されており、該軸受部材７０の上部の軸受筒部７１が箱体６１の側壁上端から僅かに突出した状態となっている。この軸受筒部７１は、その中央にカバー体８０に固着される蝶番機構の他方の部材である軸支部材８６の軸支筒部８７が嵌挿されて軸支ピン７２が一側側方から挿入され他側をＥリング７３で止着することにより、カバー体８０の一側を箱体６１に開閉自在に軸支するものである。
【００２３】
更に、箱体６１の長手方向の他側辺側壁は、高さが低く形成された配線引き出し凹部７４となっており、また、箱体６１の底面開口６３の両側部には、複数の楕円形状の開口６７が開設されている。開口６７は、図２に示すように、次に説明する透明板７５によって閉塞されてしまうので、放熱孔としての機能を有さないが、箱体６１を形成する原材料の軽減に寄与するものである。
【００２４】
また、箱体６１の前記開口６３を閉塞するために透明板７５が箱体６１の内側から底面に当接して設けられる。このため、透明板７５の四隅には、間隔保持筒部７８が上面に形成され、この間隔保持筒部７８が図２に示すように、前記支持位置決め突起６５及び止め突起６６を貫通して所定の位置に保持され、また、間隔保持筒部７８の上面に遊技制御回路基板１２０の下面が当接して透明板７５と遊技制御回路基板１２０との間隔を保持している。しかして、箱体６１の底面を透明板７５で閉塞することにより、遊技制御回路基板１２０の裏面（ハンダ面）が外部から透視し得ることとなり、仮にハンダ面に不正な工作（例えば、ジャンパー配線を接続したり、電子部品を実装したりする不正工作）をした場合には、直ちにわかるようになっている。この意味で、透明板７５によって閉塞される開口６３の大きさは、基板収納ボックス６０を傾けながらハンダ面の全域が見える程度の大きさがあれば十分である。また、透明板７５には、前記逃げ開口６９に合致する切欠部７６が形成されると共に、前記施錠用係止突起６８を貫通させる開口７７が形成され、更に、遊技制御回路基板１２０の後述するコネクタ実装領域１２６側の周端縁ほぼ中央には、コネクタ１２５への差し込みの際に遊技制御回路基板１２０が撓むのを防止するための支持突起７９が突設されている。
【００２５】
一方、上記した箱体６１の上面を閉塞するカバー体８０は、内部が透視し得るように透明な合成樹脂によって一体的に成形されるもので、その長手方向の他側辺部が下方向に曲折された仕切片８１となっている。この仕切片８１の位置は、カバー体８０を箱体６１に装着したときに図１に示すように、遊技制御回路基板１２０のコネクタ実装領域１２６が外部に現れて接続開口８２を形成するような位置で曲折される。これにより、箱体６１にカバー体８０を組付構成した状態で接続開口８２に臨むコネクタ１２５に外部からの配線を接続することができる。なお、仕切片８１の一側端部には、前記軸支ピン７２を挿通するためのピン挿通孔８４が形成されているが、このピン挿通孔８４については、後に詳述する。また、カバー体８０の表面には、内部で発生した熱を外部に放出するための放熱孔８３（図１の二点鎖線で囲んだ範囲）が多数形成されている。更に、カバー体８０の一側の長辺方向端縁及び短辺方向端縁には、箱体６１の側壁上端縁と係合する掛止部８５が適宜間隔を置いて２個ずつ突設されている。
【００２６】
また、カバー体８０の後方部の内側には、前述したように蝶番機構の他方の部材である軸支部材８６が固着され、前方部には、一対の施錠装置９０，９３が固着されている。軸支部材８６は、その後端に軸支筒部８７が突設され、該軸支筒部８７が前記軸受部材７０の軸受筒部７１間に挿入されて側方から軸支ピン７２を挿通することにより、カバー体８０が箱体６１に開閉自在に軸支される。ただし、軸支ピン７２を挿通する際に仕切片８１側から挿通する軸支ピン７２においては、仕切片８１が邪魔となるので、仕切片８１にピン挿通孔８４が穿設されている。また、前記一対の施錠装置９０，９３は、一方の施錠装置９０が箱体６１に形成される前記施錠用係止突起６８との間で施錠を行うカバー開閉用施錠装置９０を構成し、他方の施錠装置９３が後述する取付台１３０に突設される施錠用係合部材１３４との間で施錠を行うボックス着脱用施錠装置９３を構成するものである。
【００２７】
しかして、両方の施錠装置９０，９３は、本体がカバー体８０の裏面に突設される一対の錠取付ボス８９にそれぞれ固着され、その錠主体９６の上部のキー挿入穴９９がカバー体８０の表面から上方に臨み、本体の下部にキー挿入穴９９に挿入されたキー９１，９４を回動せしめることにより回動する係合鍵部材９２，９５を有するものである。この施錠装置９０，９３は、鍵の変更を自在に行い得る可変式錠装置であって、その詳細な構造は、図５乃至図７に示す通りである。
【００２８】
即ち、図５に示すように、施錠装置９０，９３は、キーを挿入し得るキー挿入穴９９を有する円柱状の錠主体９６と、該錠主体９６に連結され且つ下端部に前記係合鍵部材９２，９５が固着される円柱状の連結部材９７と、錠主体９６及び連結部材９７を着脱自在に収納する円柱状の錠取付基体９８と、から構成されている。
【００２９】
錠主体９６の内部には、いわゆるシリンダー錠の主要構成部が内蔵され、キー挿入穴９９にキーを差し込んでロック状態を解除したときに回動し得る連結角柱１００がその下部中央から突設され、また、下部外周側面の対称位置に鍵形凹部１０１（一方は図示省略）が刻設され、更に、底面の適宜箇所には、図示しないスプリングによって常時押圧されるロック摺動ピン１０２が突設されている。
【００３０】
また、連結部材９７の上端面には、前記連結角柱１００と係合する連結角穴１０３が形成され、その中程に錠取付基体９８に収納したときに錠取付基体９８の貫通穴１０９の内周段部と係合する係合凸段部１０４が形成され、更に、その下端に係合鍵部材９２，９５の基部に形成される楕円形状の係合長穴１１２と係合する係合部１０５が形成されている。
【００３１】
また、錠取付基体９８は、その上半分に前記錠主体９６を収納する収納空部１０６が形成され、その下半分の中央に前記連結部材９７を収納貫通させる貫通穴１０９が形成されている。収納空部１０６の上部内側の対称位置には、錠主体９６の前記鍵形凹部１０１と係合する係合凸部１０７が突設され、また、収納空部１０６の底面であって貫通穴１０９の側方には、前記ロック摺動ピン１０２が貫入し得るピン係合穴１０８が下部まで貫通するように形成されている。更に、錠取付基体９８の下部には、楕円形状の取付片１１１が一体的に形成され、その取付片１１１の左右に形成される取付穴１１０にカバー体８０の前記錠取付ボス８９が固着される。この固着方法は、錠取付ボス８９の先端を取付穴１１０に挿入した後溶着して、破壊しない限り錠取付基体９８が錠取付ボス８９から取り外せないような構造が採用されている。なお、前記連結部材９７を貫通穴１０９に貫通支持させた状態では、連結部材９７の下端の係合部１０５が錠取付基体９８の下端部よりも外側に突出しているので、その突出した係合部１０５に係合鍵部材９２，９５の係合長穴１１２を貫入してビス１１３で止着することにより、係合鍵部材９２，９５を連結部材９７に連結することができる。
【００３２】
上記のように構成される施錠装置９０，９３においては、まず、連結部材９７を貫通穴１０９に収納支持させて係合鍵部材９２，９５をビス１１３で止着した後に、錠主体９６の鍵形凹部１０１と錠取付基体９８の係合凸部１０７とを嵌め合わせながら錠主体９６を錠取付基体９８の収納空部１０６に収納する。この収納した状態では、錠主体９６の連結角柱１００と連結部材９７の連結角穴１０３とが係合していると共に、ロック摺動ピン１０２が収納空部１０６の底面と当接して押圧された状態となっている。その状態で錠主体９６を図５の時計回転方向に回動させることにより、係合凸部１０７と鍵形凹部１０１とが係合状態になると共に、図示しないスプリングの付勢力によりロック摺動ピン１０２がピン係合穴１０８に落入する。そして、ロック摺動ピン１０２がピン係合穴１０８に落入した状態では、錠主体９６をいずれの方向にも回転させることができないので、係合凸部１０７と鍵形凹部１０１との係合状態が保持され、錠主体９６が錠取付基体９８に装着された状態を維持することができる。
【００３３】
一方、図６に示すように、カバー体８０を開放した状態でカバー体８０の裏面から施錠装置９０，９３のピン係合穴１０８に向かって操作ピン１１４を差し込んで図示しないスプリングの付勢力に抗してロック摺動ピン１０２を押し込み、その状態で図７に示すように、施錠装置９０，９３の錠主体９６を反時計回転方向に回動することにより、係合凸部１０７と鍵旗凹部１０１との係合状態を解除して錠主体９６を錠取付基体９８から分離できる。このため、異なる鍵に対応する新たな錠主体９６に交換して再度錠取付基体９８に取り付けることにより、鍵の変更を自由に行うことができる。
【００３４】
カバー体８０の構成に戻って、カバー体８０の一側辺部両側に押え部材８８が垂下されている。この押え部材８８の詳細な説明をする前に、遊技制御回路基板１２０の構造について簡単に説明すると、遊技制御回路基板１２０は、周知のようにプリント配線基板によって構成され、その上面がＲＯＭ１２３を含む電子部品の実装面とされ、その実装面の大部分が電子部品実装領域１２４として使用され、後方の一部が複数のコネクタ１２５が実装されるコネクタ実装領域１２６とされる。また、遊技制御回路基板１２０には、その一側長辺左右に前記支持位置決め突起６５に対応する係止穴１２７が形成され、その他側長辺左右に前記止め突起６６に対応する止め穴１２８が形成されている。更に、遊技制御回路基板１２０には、透明板７５の切欠部７６及び開口７７に対応する位置に切欠部１２１及び開口１２２が形成されている。
【００３５】
しかして、カバー体８０の押え部材８８の作用について説明すると、透明板７５が装着された状態の箱体６１において、遊技制御回路基板１２０の一側長辺の係止穴１２７を支持位置決め突起６５の先端突起部に差し込み、他側長辺の止め穴１２８を止め突起６６に載置する。この状態で止め穴１２８と止め突起６６の穴を一致させてビス１２９を螺着することにより、一応、遊技制御回路基板１２０を箱体６１に止着したこととなる。そして、その後、蝶番機構によって開閉自在に設けられるカバー体８０を箱体６１の上方から装着する。この際、押え部材８８の先端部が図２に示すように、遊技制御回路基板１２０の上面に当接すると共に、係止穴１２７を貫通している支持位置決め突起６５の先端突起部が押え部材８８の中心に形成された穴に係合するので、遊技制御回路基板１２０の一側長辺部が支持位置決め突起６５と押え部材８８とによって挟持止着された状態となり、他側長辺部のビス１２９による止着とで完全に遊技制御回路基板１２０を基板収納ボックス６０内に止着したこととなる。
【００３６】
上記のように遊技制御回路基板１２０をカバー体８０と箱体６１とによって被覆するように組付構成された基板収納ボックス６０は、図４に示すような機構板４１に止着される取付用部材としての取付台１３０に着脱自在に取り付けられるようになっている。取付台１３０は、合成樹脂（金属でも良い）によって一体的に形成され、その中央に前記係合片６４と係合する一対の係合レール１３１が逆Ｌ字状に形成され、その上下端縁に基板収納ボックス６０の側壁を案内するガイド片１３２（このガイド片１３２は必ずしも必要でない）が突設されている。また、取付台１３０の底面には、複数の止め穴１３３が穿設され、図２に示すように、機構板４１に突設される取付ボス５２の取付穴５２ａに止め穴１３３を合致させてビス５３で止着することにより、取付台１３０が機構板４１の裏面に取り付けられる。なお、このビス５３は、基板収納ボックス６０を取付台１３０に装着したときには、基板収納ボックス６０によって覆われるので、外部からゆるめることができなくなる。一方、取付台１３０の一側端部には、係合穴１３５を有する施錠用係合部材１３４が突設され、この施錠用係合部材１３４に前記ボックス着脱用施錠装置９３の係合鍵部材９５が係合するようになっている。
【００３７】
以上、第１実施形態に係る基板収納ボックス６０の構成について説明してきたが、この基板収納ボックス６０の施錠装置９０，９３の作用について説明する。まず、箱体６１に対するカバー体８０の開閉を司るカバー開閉用施錠装置９０について説明すると、カバー体８０の軸支部材８６と箱体６１の軸受部材７０との蝶番機構によってカバー体８０を箱体６１に開閉自在に軸支した状態で遊技制御回路基板１２０を箱体６１の支持位置決め突起６５及び止め突起６６に止着し、その後、カバー体８０を閉じる。この閉じる前には、カバー開閉用施錠装置９０の係合鍵部材９２が箱体６１の施錠用係止突起６８と係合しない位置にしておく必要がある。しかして、カバー体８０を完全に閉じた状態でカバー開閉用施錠装置９０のキー挿入穴９９に解除キー９１を挿入して回動することにより、係合鍵部材９２が回動して施錠用係止突起６８の上部折曲部の内側に当接（図３参照）した状態で係合する。これによってカバー体８０と箱体６１とによって遊技制御回路基板１２０が完全に被覆された状態となる。そして、その被覆状態を証明するため、例えば、蝶番機構７０，８６側及び施錠装置９０側のカバー体８０の上面から箱体６１の側面にかけて封印紙等を貼付しても良い。
【００３８】
しかして、上記のように箱体６１とカバー体８０とによる遊技制御回路基板１２０の被覆状態を箱体６１に突設される施錠用係止突起６８とカバー体８０に取り付けられるカバー開閉用施錠装置９０の係合鍵部材９２との係合により保持し、カバー開閉用施錠装置９０のキー挿入穴９９に解除キー９１を差し込んで回動することにより係合鍵部材９２と施錠用係止突起６８との係合状態を解除することができるように構成することにより、解除キー９１がなければ、基板収納ボックス６０の被覆状態を解除することができないので、遊技制御回路基板１２０等への不正行為を確実に防止することができる。また、カバー体８０を開放した状態でカバー体８０の裏面から施錠装置９０のピン係合穴１０８に向かって操作ピン１１４を差し込んでロック摺動ピン１０２を押し込み、その状態で施錠装置９０の錠主体９６を反時計回転方向に回動することにより、錠主体９６が錠取付基体９８から分離できて異なる鍵を使用する錠主体９６に交換し得る可変式錠装置としてカバー開閉用施錠装置９０を構成したので、解除キー９１の交換の必要性が生じたときに、迅速に対応することができる。
【００３９】
なお、解除キー９１は、不正行為が行えないように、パチンコ遊技機１の使用者である遊技場に保管させないようにし、遊技機製造業者又は監督官庁の責任者が保管するようにすれば良い。
【００４０】
一方、基板収納ボックス６０を取付台１３０に装着するときには、ボックス着脱用施錠装置９３の係合鍵部材９５が係合穴１３５と係合しない状態（解錠状態）で取付台１３０の側方から係合片６４が係合レール１３１に係合するように押し込み、最終的に施錠用係合部材１３４が箱体６１の逃げ開口６９内に完全に挿入されるまで強く押し込む。この状態でボックス着脱用施錠装置９３のキー挿入穴９９に着脱キー９４を挿入して回動することにより、係合鍵部材９５が回動して施錠用係合部材１３４の係合穴１３５の上辺部の内側に当接（図２参照）した状態で係合する。これによって基板収納ボックス６０が取付台１３０に完全に固着された状態となる。
【００４１】
しかして、上記のように取付台１３０への取付状態を取付台１３０に突設される施錠用係合部材１３４の係合穴１３５とカバー体８０に取り付けられるボックス着脱用施錠装置９３の係合鍵部材９５との係合により保持し、ボックス着脱用施錠装置９３のキー挿入穴９９に着脱キー９４を差し込んで回動して係合穴１３５と係合鍵部材９５との係合状態を解除することができるように構成することにより、着脱キー９４がなければ、基板収納ボックス６０の機構板４１への取付状態を解除することができないので、遊技制御回路基板１２０を含む基板収納ボックス６０全体を複製した不正な基板収納ボックスと交換するという不正行為を確実に防止することができる。また、カバー体８０を開放した状態でカバー体８０の裏面から施錠装置９０のピン係合穴１０８に向かって操作ピン１１４を差し込んでロック摺動ピン１０２を押し込み、その状態で施錠装置９０の錠主体９６を反時計回転方向に回動することにより、錠主体９６が錠取付基体９８から分離できて異なる鍵を使用する錠主体９６に交換し得る可変式錠装置としてボックス着脱用施錠装置９３を構成したので、着脱キー９４の交換の必要性が生じたときに、迅速に対応することができる。
【００４２】
なお、この着脱キー９４も解除キー９１と同様に、不正行為が行えないように、パチンコ遊技機１の使用者である遊技場に保管させないようにし、遊技機製造業者又は監督官庁の責任者が保管するようにすれば良い。ただし、図１６に示すように、基板収納ボックス６０は、機構板４１の比較的広い面積範囲を覆うように取り付けられているので、機構板４１に故障が生じたときや点検する必要が生じたときには、機構板４１から基板収納ボックス６０を外さなければならない事態も考えられるので、着脱キー９４を遊技場側に渡しておいても良い。この場合において、着脱キー９４の管理状態が悪いと、着脱キー９４の合鍵を偽造される場合があるが、このような場合であっても、本第１実施形態においては、施錠装置９３の錠主体９６だけを交換してその偽造された合鍵を使用することができなくさせることができるので、防犯効果をより高めることができる。
【００４３】
また、遊技場においては、監督官庁によりパチンコ島台に列設されるパチンコ遊技機１の中から１台又は２台程度抜き出してＲＯＭ１２３の検査（サンプル抽出検査）を行う場合がある。このようなサンプル抽出検査を行う場合には、図１に示すように、カバー開閉用施錠装置９０に解除キー９１を差し込んで矢印ｂ方向に回動して係合鍵部材９２と施錠用係止突起６８との係合を解除することにより、カバー体８０を蝶番機構８６，７０によって開放でき、その開放した状態でＲＯＭ１２３を抜き出して検査し、その検査後に再度ＲＯＭ１２３を差し込んでカバー体８０を閉じ、解除キー９１を矢印ｂと逆方向に回動して係合鍵部材９２と施錠用係止突起６８とを係合させて遊技制御回路基板１２０を再度被覆された状態とする。そして、この被覆状態を保証するために、検査を行った監督官庁が発行する検査済封印紙を箱体６１とカバー体８０との間に掛け渡すように貼付すれば良い。また、基板収納ボックス６０全体を外す場合には、ボックス着脱用施錠装置９３に着脱キー９４を差し込んで矢印ａ方向に回動して係合鍵部材９５と施錠用係合部材１３４の係合穴１３５との係合を解除し、そのまま一側方向にスライドさせることにより、係合片６４と係合レール１３１との係合を外して基板収納ボックス６０全体を機構板４１から取り外すことができる。
【００４４】
上記した第１実施形態に係る基板収納ボックス６０の施錠装置９０，９３は、鍵の交換を自在に行える構成として、施錠装置９０，９３を構成する部材のうちの、１つの部材である錠主体９６を交換するものを示したが、施錠装置を構成する部材を交換することなく鍵の交換を自在に行える構成を採用した施錠装置であっても良い。このような施錠装置の実施形態（以下、第２実施形態という）を図８乃至図１１に示す。図８は、第２実施形態に係る基板収納ボックス６０Ａの平面図であり、図９は、図８のＤ−Ｄ線で切断した断面図であり、図１０は、図８のＣ−Ｃ線で切断した断面図であり、図１１は、第２実施形態において使用される施錠装置１４０，１５５の作用を説明するための斜視図である。なお、この第２実施形態に係る図面においては、第１実施形態とほぼ同一の構成について同一の符号を付した。
【００４５】
しかして、第２実施形態と第１実施形態の相違点は、カバー体が箱体の上面開放部のほぼ全域を被覆してコネクタ配線が配線引き出し凹部７４から外側に引き出されている点、カバー開閉用施錠装置及びボックス着脱用施錠装置の２つの施錠装置１４０，１５５が基板収納ボックス６０Ａ内に完全に収納されている点、及び施錠装置１４０，１５５の鍵変更が所定の操作を行うことでできる点である。そこで、まず、カバー体の構成について簡単に説明する。
【００４６】
第２実施形態に係るカバー体８０ａは、図８に示すように、箱体６１のほぼ全域を完全に被覆するように蝶番機構７０（図示では７１だけ示す），８６によって開閉自在に軸支されている。つまり、第１実施形態のように接続開口８２が形成されることなくコネクタ実装領域１２６の上方部分も被覆するものである。したがって、コネクタ実装領域１２６に実装されているコネクタ１２５に接続される配線１７１は、カバー体８０ａを被覆する前に配線１７１のコネクタ１７０をコネクタ１２５に接続し、その後、カバー体８０ａを被覆する必要がある。このとき、配線１７１は、箱体６１に形成される配線引き出し凹部７４から外側に引き出されることとなる。このように、カバー体８０ａをコネクタ実装領域１２６を含む遊技制御回路基板１２０の全域にわたって被覆することにより、コネクタ１２５に対する不正行為をも完全に防止することができる。
【００４７】
次に、カバー体８０ａの箱体６１に対する被覆状態の保持・解除を行う構造及びカバー開閉用施錠装置１４０の構成について図１０及び図９を参照して説明する。カバー開閉用施錠装置１４０は、箱体６１及び透明板７５にビス（図示しない）止めされる本体とその本体の一側に突設されるキー挿入部１４１と、該キー挿入部１４１に挿入されたキー（図示しない）を回動することにより回転するカム部材１４２と、から構成されている。そして、図９に示すように、箱体６１の底面に形成される設置開口１５２に差し渡された軸ピン１４４によって揺動自在に軸支される係合揺動部材１４３が前記カバー開閉用施錠装置１４０のカム部材１４２の側面と当接するように立設されている。係合揺動部材１４３は、軸ピン１４４に巻装されるスプリング１４５によって常にカム部材１４２の側面に当接される方向に付勢されていると共に、その上端に係合爪部１４６を有し、その係合爪部１４６の上面が傾斜状に形成された傾斜面部１４７となっている。一方、カバー体８０ａの裏面であって前記係合揺動部材１４３の上方位置には、垂下係合片１４８が一体的に形成され、該垂下係合片１４８の先端にも係合爪部１４９が形成され、その係合爪部１４９の下面が傾斜状に形成された傾斜面部１５０となっている。なお、カバー開閉用施錠装置１４０のキー挿入部１４１は、箱体６１の側壁に対面しており、そのキー挿入部１４１に対面している箱体６１の側壁にキー挿通穴１５１が開設されている。また、カバー開閉用施錠装置１４０の本体の上面には、鍵変更操作の際に使用するリセットボタン１５３が設けられている。
【００４８】
上記したような構造において、カバー体８０ａを箱体６１に被覆する際には、箱体６１の上方からカバー体８０ａを閉じることにより、垂下係合片１４８の傾斜面部１５０と係合揺動部材１４３の傾斜面部１４７とが当接して係合揺動部材１４３をスプリング１４５の付勢力に抗して図９において反時計回転方向に回動させ、遂には係合爪部１４６，１４９同士が係合する。係合爪部１４６，１４９同士が係合したときには、これを外部から外すことはできないので、カバー体８０ａが箱体６１を完全に被覆した状態となる。一方、係合爪部１４６，１４９同士の係合状態を解除するためには、キー挿通穴１４１から解除キー（図示しない）を挿通して該キーを回動せしめることにより、カム部材１４２を回動せしめ、これにより、係合揺動部材１４３がスプリング１４５の付勢力に抗して図９における反時計方向に回動し、遂には、係合爪部１４６，１４９の係合状態が解消され、その解消された状態でカバー体８０ａを開放することができる。
【００４９】
次に、基板収納ボックス６０Ａの取付状態の保持・解除を行う構造及びボックス着脱用施錠装置１５５の構成について図８及び図１０を参照して説明する。ボックス着脱用施錠装置１５５は、箱体６１及び透明板７５にビス１６６で止着される本体とその本体の一側に突設されるキー挿入部１５６と、該キー挿入部１５６に挿入された着脱キー１５９を回動することにより回転するレバー部材１５７と、から構成されている。レバー部材１５７の下端部の前面側は、傾斜面部１５８とされており、また、レバー部材１５７が回動し得る範囲の箱体６１と透明板７５と遊技制御回路基板１２０には、開口１６０（図９参照）が形成されている。一方、図１０に示すように、取付台１３０の底面に形成される設置開口１６７の一端部に差し渡された軸ピン１６２に係合揺動部材１６１が揺動自在に軸支され、その係合揺動部材１６１の先端に形成される係合爪部１６４が前記ボックス着脱用施錠装置１５５のレバー部材１５７の下端と係合するようになっている。係合揺動部材１６１は、軸ピン１６２に巻装されるスプリング１６３によって常に図１０における反時計方向に付勢されていると共に、その先端部の係合爪部１６４の上面が傾斜状に形成された傾斜面部１６５となっている。なお、ボックス着脱用施錠装置１５５のキー挿入部１５６は、箱体６１の側壁に対面しており、そのキー挿入部１５６に対面している箱体６１の側壁にキー挿通穴１６８が開設されている。また、ボックス着脱用施錠装置１５５の本体の上面には、鍵変更操作の際に使用するリセットボタン１６９が設けられている。
【００５０】
上記したような構造において、基板収納ボックス６０Ａを取付台１３０に装着する際には、箱体６１底面の係合片６４を取付台１３０の係合レール１３１に沿って押し込むことにより、レバー部材１５７の傾斜面部１５８と係合揺動部材１６１の傾斜面部１６５とが当接して係合揺動部材１６１をスプリング１６３の付勢力に抗して図１０において時計回転方向に回動させ、遂にはレバー部材１５７の下端と係合爪部１６４とが係合する。レバー部材１５７の下端と係合爪部１６４とが係合したときには、これを外部から外すことはできないので、基板収納ボックス６０Ａが取付台１３０に完全に取着された状態となる。一方、レバー部材１５７と係合爪部１６４との係合状態を解除するためには、キー挿通穴１６８から着脱キー１５９を挿通して該キー１５９を回動せしめることにより、レバー部材１５７を回動せしめてレバー部材１５７の下端と係合爪部１６４との係合状態を直ちに解消し、その解消された状態で基板収納ボックス６０Ａを引き抜くことにより、簡単に基板収納ボックス６０Ａを取付台１３０から取り外すことができる。
【００５１】
上記したように、この第２実施形態における基板収納ボックス６０Ａの施錠装置１４０，１５５は、共に基板収納ボックス６０Ａの内部に存在するので、第１実施形態に比べて容易に施錠装置１４０，１５５を外部から操作することができないので、より不正行為を行うことができない。
【００５２】
ところで、第２実施形態において使用する施錠装置１４０，１５５においては、適用できる鍵の変更を簡単な操作によって行うことができる可変式錠装置となっている。この鍵の変更操作について図１１を参照して説明する。現在使用している第１キー１７２を相違する第２キー１７３に変更する場合には、（Ａ）に示すように、キー挿入部１４１，１５６の外周基準マーク１７４と内周基準マーク１７５とが一致している状態で第１キー１７２をキー挿入部１４１，１５６の鍵穴に差し込み、その状態で（Ｂ）に示すように、リセットボタン１５３，１６９をセット位置からリセット位置に変化させ、その後、第１キー１７２を反時計回転方向に１８０度回転し、（Ｃ）に示すように、第１キー１７２を引き抜く。この状態では、内周基準マーク１７５が外周基準マーク１７４と逆方向の位置にある。そのような状態で、（Ｄ）に示すように、第２キー１７３を鍵穴に差し込み、（Ｅ）に示すように、更に反時計回転方向に１８０度回転せしめて外周基準マーク１７４と内周基準マーク１７５とを一致させると、リセットボタン１５３，１６９が自動的にセット位置に戻る。その後、（Ｆ）に示すように、第２キー１７３を引き抜くことにより、セットが完了し、施錠装置１４０，１５５に対して使用し得るキーが第１キー１７２から第２キー１７３に設定変更される。
【００５３】
このように、第２実施形態に使用される施錠装置１４０，１５５の可変式錠装置は、部品を変えることなく単純な操作によって使用し得る鍵の変更を行うことができるので、第１実施形態に比べ、コストを低減することができる。なお、第２実施形態において使用される可変式錠装置は、例えば、オムロン株式会社製の商品名「オムロック」として市販されている。
【００５４】
上記した第２実施形態は、施錠装置１４０，１５５の部品を交換しなくても鍵変更を行えるものであるが、異なる鍵を用意しなければならない。しかし、異なる鍵を用意しなくても鍵変更を行える施錠装置も考えられる。例えば、図１２乃至図１４に示すダイヤル式施錠装置１８０，１９０がある。以下、ダイヤル式施錠装置１８０，１９０を基板収納ボックス６０Ｂに使用した場合の実施形態（以下、第３実施形態という）について説明する。図１２は、第３実施形態に係る基板収納ボックス６０Ｂの平面図であり、図１３は、図１２のＥ−Ｅ線で切断した断面図であり、図１４は、図１２のＦ−Ｆ線で切断した断面図である。なお、この第３実施形態における基板収納ボックス６０Ｂは、第１実施形態における基板収納ボックス６０とほぼ同じ構造であって、施錠装置の構造だけが異なる。したがって、図面中の符号は、第１実施形態の符号とほぼ同じである。
【００５５】
上記したように、この第３実施形態においては、第１実施形態と施錠装置の構造が異なるだけであるので、施錠装置１８０，１９０の構造についてだけ説明する。図において、カバー開閉用ダイヤル式施錠装置１８０は、その複数の回転ダイヤル１８１の番号を基準マーク１８２に合わせて予め定められた解除番号とすることにより、施錠装置１８０の本体側面に突設される支点１８４を中心として回転する解除レバー１８３の回動操作を許容するものである。解除レバー１８３の下端には、箱体６１の底面に突設される施錠用係止突起６８と係合する係合鍵部材９２が固着されている。なお、複数の回転ダイヤル１８１及び解除レバー１８３の上端は、カバー体８０の表面に突出した状態で設けられている。また、施錠装置１８０の本体側面には、鍵番号変更の際に操作するリセットボタン１８５が設けられている。
【００５６】
同様に、ボックス着脱用ダイヤル式施錠装置１９０は、その複数の回転ダイヤル１９１の番号を基準マーク１９２に合わせて予め定められた解除番号とすることにより、施錠装置１９０の本体側面に突設される支点１９４を中心として回転する解除レバー１９３の回動操作を許容するものである。解除レバー１９３の下端には、取付台１３０に突設される施錠用係合部材１３４の係合穴１３５と係合する係合鍵部材９５が固着されている。なお、複数の回転ダイヤル１９１及び解除レバー１９３の上端は、カバー体８０の表面に突出した状態で設けられている。また、施錠装置１８０の本体側面には、鍵番号変更の際に操作するリセットボタン１８５が設けられている。
【００５７】
上記のように構成される第３実施形態に係る施錠装置１８０，１９０における鍵番号を変更する操作は、まず、回転ダイヤル１８１，１９１を予め定められた解除番号に合わせて解除可能状態とし、その状態でリセットボタン１８５，１９５をリセット位置にセットし、その後、回転ダイヤル１８１，１９１を新たな解除番号に合わせ、リセットボタン１８５，１９５をセット状態とすることにより、新たな解除番号に鍵番号を変更することができる。
【００５８】
以上、第１実施形態乃至第３実施形態について説明してきたが、いずれの実施形態においても、基板収納ボックス６０，６０Ａ，６０Ｂが、箱体６１及びカバー体８０，８０ａ等の複数の構成部品によって遊技制御回路基板１２０を被覆するように組み付け構成されると共に、その被覆状態を解除するカバー開閉用施錠装置９０，１４０，１８０を設け、しかもそれらのカバー開閉用施錠装置９０，１４０，１８０を鍵の変更を自在とした可変式錠装置としたので、カバー開閉用施錠装置９０，１４０，１８０の施錠を解除する解除キー９１又は解除番号がなければ、基板収納ボックス６０，６０Ａ，６０Ｂの被覆状態を解除することができず、遊技制御回路基板１２０等への不正行為を防止することができると共に、解除キー９１又は解除番号の交換の必要性が生じたときには、迅速に対応することができる。
【００５９】
また、基板収納ボックス６０，６０Ａ，６０Ｂが、箱体６１及びカバー体８０，８０ａ等の複数の構成部品によって遊技制御回路基板１２０を被覆するように組み付け構成されて取付台１３０を介して遊技機に取り付けられると共に、その取付台１３０への取付状態を解除するボックス着脱用施錠装置９３，１５５，１９０を設け、しかもそれらのボックス着脱用施錠装置９３，１５５，１９０を鍵の変更を自在とした可変式錠装置としたので、ボックス着脱用施錠装置９３，１５５，１９０の施錠を解除する着脱キー９４，１５９又は解除番号がなければ、基板収納ボックス６０，６０Ａ，６０Ｂの遊技機の機構板４１への取付状態を解除することができず、遊技制御回路基板１２０を含む基板収納ボックス６０，６０Ａ，６０Ｂ全体を交換するという不正行為を確実に防止することができると共に、着脱キー９４，１５９又は解除番号の交換の必要性が生じたときには、迅速に対応することができる。
【００６０】
なお、上記した実施形態においては、箱体６１とカバー体８０との一側を蝶番機構によって開閉支持されるものを示したが、蝶番機構に代えて施錠装置や係止爪等による係合構造としても良い。また、上記した実施形態では、基板収納ボックス６０，６０Ａ，６０Ｂが取付台１３０を介して機構板４１に取り付けられているが、これに限らず、遊技盤１１やパチンコ遊技機１を設置する遊技機設置島に取り付けても良く、要は、遊技機の近傍に取り付けられていれば良い。また、遊技機としてパチンコ遊技機を例示して説明したが、パチンコ遊技機以外の遊技機（例えば、アレンジ式遊技機やスロットマシンやビデオゲーム機等）であっても良い。
【００６１】
【発明の効果】
以上、説明したところから明らかなように、本発明においては、基板収納ボックスが、取付用部材に対して一方向からスライド移動することにより遊技機に関連する所定箇所に取り付けられるように前記取付用部材に形成される施錠用係合部材を受け入れる逃げ開口が形成されると共に、前記スライド移動方向と逆方向のスライド移動ができないように当該基板収納ボックスの内部で前記施錠用係合部材と係合する係合鍵部材を有する施錠装置を設けて構成され、しかもその施錠装置を鍵の変更を自在とした可変式錠装置としたので、施錠装置の施錠を解除する解除キーがなければ、基板収納ボックスの遊技機に関連する所定箇所への取付状態を解除することができず、回路基板を含む基板収納ボックス全体を交換するという不正行為を確実に防止することができると共に、解除キーの交換の必要性が生じたときには、迅速に対応することができる。
【図面の簡単な説明】
【図１】  第１実施形態に係る基板収納ボックスの平面図である。
【図２】  図１のＡ−Ａ線に沿って切断した断面図である。
【図３】  図１のＢ−Ｂ線に沿って切断した断面図である。
【図４】  基板収納ボックスの分解斜視図である。
【図５】  基板収納ボックスに設けられる施錠装置の分解斜視図である。
【図６】  その施錠装置の作用を示す一部破断断面図である。
【図７】  同じく、その施錠装置の作用を示す一部破断断面図である。
【図８】  第２実施形態に係る基板収納ボックスの平面図である。
【図９】  図８のＤ−Ｄ線で切断した断面図である。
【図１０】  図８のＣ−Ｃ線で切断した断面図である。
【図１１】  第２実施形態において使用される施錠装置の作用を説明するための斜視図である。
【図１２】  第３実施形態に係る基板収納ボックスの平面図である。
【図１３】  図１２のＥ−Ｅ線で切断した断面図である。
【図１４】  図１２のＦ−Ｆ線で切断した断面図である。
【図１５】  実施形態に係る遊技機の一例としてのパチンコ遊技機の正面図である。
【図１６】  パチンコ遊技機の背面図である。
【符号の説明】
１  パチンコ遊技機（遊技機）
６０  基板収納ボックス
６１  箱体
６８  施錠用係止突起
６９  逃げ開口
７０  軸受部材
７１  軸受筒部
７２  軸支ピン
７５  透明板
８０  カバー体
８６  軸支部材
８７  軸支筒部
９０  カバー開閉用施錠装置
９１  解除キー
９２  係合鍵部材
９３  ボックス着脱用施錠装置
９４  着脱キー
９５  係合鍵部材
９６  錠主体
９７  連結部材
９８  錠取付基体
１０１  鍵形凹部
１０２  ロック摺動ピン
１０７  係合凸部
１０８  ピン係合穴
１１４  操作ピン
１２０  遊技制御回路基板
１３０  取付台
１３４  施錠用係合部材
１３５  係合穴
１４０  カバー開閉用施錠装置
１４１  キー挿入部
１４２  カム部材
１４３  係合揺動部材
１４６  係合爪部
１４８  垂下係合片
１４９  係合爪部
１５３  リセットボタン
１５５  ボックス着脱用施錠装置
１５６  キー挿入部
１５７  レバー部材
１５９  着脱キー
１６１  係合揺動部材
１６４  係合爪部
１６９  リセットボタン
１７２  第１キー
１７３  第２キー
１８０  カバー開閉用ダイヤル式施錠装置
１８１  回転ダイヤル
１８２  基準マーク
１８３  解除レバー
１８５  リセットボタン
１９０  カバー開閉用ダイヤル式施錠装置
１９１  回転ダイヤル
１９２  基準マーク
１９３  解除レバー
１９５  リセットボタン
【図１】
0004176161.tif 000002
【図２】
0004176161.tif 000003
【図３】
0004176161.tif 000004
【図４】
0004176161.tif 000005
【図５】
0004176161.tif 000006
【図６】
0004176161.tif 000007
【図７】
0004176161.tif 000008
【図８】
0004176161.tif 000009
【図９】
0004176161.tif 000010
【図１０】
0004176161.tif 000011
【図１１】
0004176161.tif 000012
【図１２】
0004176161.tif 000013
【図１３】
0004176161.tif 000014
【図１４】
0004176161.tif 000015
【図１５】
0004176161.tif 000016
【図１６】
0004176161.tif 000017